(57)【特許請求の範囲】
【請求項１】
１つの特別登録キーを設け、この特別登録キーに対応させて所望の一人の相手先の情報を登録する手段と、
前記特別登録キーが操作されると、この特別登録キーに対応させて登録した前記所望の相手先の情報を読出す手段とを具備し、
前記所望の相手先の情報として、所望の相手先の名前、電話番号、メールアドレスが登録可能であり、少なくとも所望の相手先の電話番号またはメールアドレスが前記特別登録キーに対応して登録されると、その旨がメールで前記相手先に対して自動送信されることを特徴とする電話機。
【請求項２】
通話中に前記特別登録キーが操作されると、通話中の相手の情報が、前記所望の相手先の情報として前記特別登録キーに対応して登録されることを特徴とする請求項１に記載の電話機。
【請求項３】
特別登録キー操作時の通話が終了した後に、登録された旨のメールが相手先に対して自動送信されることを特徴とする請求項２に記載の電話機。
【請求項４】
送信あるいは受信メールデータから相手先の情報を取得して、この相手先の情報が前記特別登録キーの操作に伴い前記所望の相手先の情報として前記特別登録キーに対応して登録されることを特徴とする請求項１または２に記載の電話機。
【請求項５】
送信あるいは受信メールデータから相手先の情報を取得して前記所望の相手先の情報として登録後、その旨がメールで相手先に対して自動送信されることを特徴とする請求項４に記載の電話機。
【請求項６】
前記所望の相手先の情報を読出した後、その情報を使用して、前記所望の相手先に対して音声発信あるいはメール送信動作を行えることを特徴とする請求項１ないし５のいずれかに記載の電話機。
【請求項７】
前記特別登録キーに対応させて登録した所望の相手先からの着信時は、その他の着信時と異なる内容で着信が報知されることを特徴とする請求項１ないし６のいずれかに記載の電話機。
【発明の詳細な説明】
【０００１】
【発明の属する技術分野】
本発明は、電話機に関する。
【０００２】
【従来の技術】
電話機には、スピードダイヤル、メモリダイヤル、ワンタッチダイヤルといった便利な機能が設けられている。これらは、いずれも、発信操作を簡略にする機能であり、スピードダイヤルは、複数のメモリ番号の中から選択して所定のメモリ番号を入力すれば、その所定のメモリ番号に登録してある所望の相手先の情報（電話番号やメールアドレス）を読出して、電話番号あるいはメールアドレスの入力なしに、所望の相手先に対して発信できる。また、メモリダイヤルは、メモリ番号検索や、名前検索、あるいは五十音検索などで、複数の登録情報の中から所望の相手先の登録情報を選択すれば、その所望の相手先の情報を読出して、電話番号やメールアドレスの入力なしに、所望の相手先に対して発信できる。さらに、ワンタッチダイヤルは、複数のワンタッチキーの中から選択して所定のワンタッチキーを操作すれば、その所定のワンタッチキーに対応して登録してある所望の相手先の情報を読出して、その所望の相手先に対して、電話番号やメールアドレスの入力なしに発信できる。
【０００３】
【発明が解決しようとする課題】
しかしながら、上記のスピードダイヤル、メモリダイヤル、ワンタッチダイヤルのように、複数のメモリ番号や、複数の登録情報、あるいは複数のキーの中から選択して所望の相手先の情報を読出す方法では、選択を間違えたり、時間がかかったり、メモリ番号あるいはキーの種類と登録情報の関係を忘れてしまったりするので、使い勝手が悪かった。
【０００４】
本発明は上記の点に鑑みなされたもので、所望の相手先の情報をワンタッチで簡単に間違いなく読出すことができ、使い勝手が向上する電話機を提供することを目的とする。
【０００５】
【課題を解決するための手段】
本発明の電話機は、１つの特別登録キーを設け、この特別登録キーに対応させて所望の一人の相手先の情報を登録する手段と、前記特別登録キーが操作されると、この特別登録キーに対応させて登録した前記所望の相手先の情報を読出す手段とを具備し、前記所望の相手先の情報として、所望の相手先の名前、電話番号、メールアドレスが登録可能であり、少なくとも所望の相手先の電話番号またはメールアドレスが前記特別登録キーに対応して登録されると、その旨がメールで前記相手先に対して自動送信されることを特徴とする。
【０００６】
上記電話機において、通話中に前記特別登録キーが操作されると、通話中の相手の情報が、前記所望の相手先の情報として前記特別登録キーに対応して登録されるようにすることができる。このとき、特別登録キー操作時の通話が終了した後に、登録された旨のメールが相手先に対して自動送信されるようにすることができる。また、送信あるいは受信メールデータから相手先の情報を取得して、この相手先の情報が前記特別登録キーの操作に伴い前記所望の相手先の情報として前記特別登録キーに対応して登録されるようにすることができる。このとき、送信あるいは受信メールデータから相手先の情報を取得して前記所望の相手先の情報として登録後、その旨がメールで相手先に対して自動送信される。また、前記所望の相手先の情報を読出した後、その情報を使用して、前記所望の相手先に対して音声発信あるいはメール送信動作を行えるようにすることができる。また、前記特別登録キーに対応させて登録した所望の相手先からの着信時は、その他の着信時と異なる内容で着信が報知されるようにすることができる。
【０００７】
【発明の実施の形態】
次に添付図面を参照して本発明による電話機の実施の形態を詳細に説明する。図２は本発明の実施の形態として移動体電話機を示すブロック図である。この図において、アンテナ１１が接続された送受信回路部１２は、移動体電話機における送受信処理を、ＣＰＵを内蔵した制御部１３によって制御されながら行う回路である。すなわち、送受信回路部１２は音声メッセージや文字メッセージまたは制御信号等を高周波処理してアンテナ１１より電波として送信したり、アンテナ１１で受信された信号を音声メッセージや文字メッセージまたは制御信号等に復調して制御部１３に出力する。
【０００８】
制御部１３は、フラッシュメモリ１４に記憶されたプログラムに従って、キー操作部１８および送受信回路部１２からの制御信号により動作し、送受信回路部１２、ＬＣＤドライバ１６および音声処理部１９を制御する。この制御部１３にはＲＡＭ１５が接続され、制御部１３はこのＲＡＭ１５をフラッシュメモリ１４に記憶されたプログラムを実行するときのワークエリアとして使用する。ＲＡＭ１５には、文字入力の際の辞書機能の１つである学習機能データが記憶される。一方、フラッシュメモリ１４には、メッセージセンタから受信した文字メッセージや文字パターン（英、数字も含む）／アイコン（図形）などのフォント情報が記憶され、さらに発信時等に利用される複数の相手先の情報（名前や電話番号、メールアドレス等）が記憶される。
【０００９】
ＬＣＤドライバ１６は制御部１３の制御に従ってＬＣＤ表示部１７を駆動してこれの表示を行う。すなわち、ＬＣＤドライバ１６は、制御部１３からの制御信号に対応してフラッシュメモリ１４から読出された文字パターン（英、数字も含む）やアイコン（図形）パターンをＬＣＤ表示部１７に表示させる。音声処理部１９は制御部１３に接続され、制御部１３から入力された音声信号をＤ／Ａ変換してスピーカ２０に出力したり、マイク２１から入力された音声信号をＡ／Ｄ変換して制御部１３に出力する処理を行う。
【００１０】
照明２２はキー押下時や着信時等に制御部１３によって点灯、消灯制御され、点灯するとキー操作部１８およびＬＣＤ表示部１７を明るく照明する。バイブレータ２３は制御部１３に接続され、この制御部１３による制御の下、着信時等に振動してそれを知らせる。リンガ又はスピーカ２４は制御部１３によって制御され、着信時等に鳴動してそれを知らせる。着信ＬＥＤ２５は制御部１３に接続され、この制御部１３による制御の下、着信時等に点滅してそれを知らせる。
【００１１】
図１は、上記のような移動体電話機のキー操作部１８を具体的に示す正面図である。この図に示すように、キー操作部１８としては、通常、テンキーと＊キーおよび＃キーからなるダイヤルキー３１と、発信キー３２、設定キー３３、切断キー３４、左送りキー３５、右送りキー３６、上下キー３７、メールキー３８が設けられるが、本実施の形態の移動体電話機では、これらのキーに加えて１つの特別登録キー（以下ペアキーという）３９が設けられる。
【００１２】
そして、本実施の形態の移動体電話機では、前記ペアキー３９に対応させて、所望の一人の相手先の情報を登録できる（これを以下ペア登録という）。このとき入力された情報は、図２のフラッシュメモリ１４に記憶される。
【００１３】
図３は、ＬＣＤ表示部１７の画面表示の遷移を示し、ペア登録方法を説明するための図である。まず、待ち受け画面の状態で、ペアキー３９を押下すると、ペア登録がなされていない場合、「ペア登録がありません  登録しますか？」の問いかけと「ＹＥＳ」「ＮＯ」の選択肢が表示部１７の画面に表示される（図３（ａ））。そこで、「ＹＥＳ」を左送りキー３５で選択し、設定キー３３を押下するとペア登録動作となり、まず所望の相手先の名前を入力する画面（図３（ｂ））が表示部１７に表示される。この画面でダイヤルキー３１を使用して所望の相手先の名前（例えば「伊東」）を入力する（図３（ｃ））。その後、設定キー３３を押下すると、次に“読み”の入力画面（図３（ｄ））となり、ダイヤルキー３１を使用して“読み”（例えば「イトウ」）を入力する。
【００１４】
その後、設定キー３３を押下すると、電話番号の入力画面（図３(ｅ)）となり、ダイヤルキー３１を使用して所望の相手先の電話番号（例えば「０９０３９２××××１」）を入力できる。電話番号を入力したら、次に右送りキー３６を押下すると、Ｅ−ｍａｉｌアドレスの入力画面（図３(ｆ)）となり、相手先のＥ−ｍａｉｌアドレスを入力できる。このとき、Ｅ−ｍａｉｌアドレスの入力を省略することもできる。図３(ｆ)のＥ−ｍａｉｌアドレス入力画面で右送りキー３６を押下すると、次にＰＩＮコードの入力画面（図３(ｇ)）となり、ＰＩＮコード（例えば「２２２２」）を入力できる。このとき、ＰＩＮコードの入力を省略することもできる。
【００１５】
また、図３(ｇ)のＰＩＮコード入力画面で右送りキー３６を押下すると、図３(ｅ)の電話番号入力画面に戻り、電話番号の訂正を行うことができる。さらに、右送りキー３６を押下すれば、押下の都度、図３(ｆ)のＥ−ｍａｉｌアドレス入力画面、図３(ｇ)のＰＩＮコード入力画面、図３(ｅ)の電話番号入力画面で順次画面が切替わり、各画面の入力情報を訂正することができる。そして、図３(ｅ)の電話番号入力画面、あるいは図３(ｆ)のＥ−ｍａｉｌアドレス入力画面、あるいは図３(ｇ)のＰＩＮコード入力画面で設定キー３３を押下すれば、ペア登録の確認として、いままで入力した所望の相手先の名前と電話番号が図３(ｈ)に示すように表示部１７の画面に表示された後、待ち受け画面に戻り、ペア登録を終了する。
【００１６】
そして、このようにしてペア登録が行われると、ペア登録を行った旨のメールがペア登録の相手先に対して自動送信される。これにより、電話機使用者とペア登録の相手とが互いにペア登録されたことを確認して、互いにペア意識をもてる。
【００１７】
また、上記のようにしてペア登録を行っておくと、ペアキー３９を押下するだけでワンタッチで簡単に間違いなく、ペアキー３９に対応して登録した所望の相手先の情報を読出すことができる。すなわち、待ち受け画面の状態でペアキー３９を押下すると、このペアキー３９に対応させて登録してある所望の相手先の情報として、相手先の名前（例えば伊東太郎）が図４(ａ)に示すように表示部１７の画面に読出される。この状態で再度ペアキー３９を押下すると、相手先の情報の詳細読出しとなり、まず図４(ｂ１)に示すように相手先の電話番号（０９０３９２××××１）が表示部１７に表示され、以下、右送りキー３６の押下の都度、図４(ｂ２)，(ｂ３)，(ｂ１)に示すように、登録されている相手先のＥ−ｍａｉｌアドレス、ＰＩＮコード、電話番号が順次切替わって表示される。
【００１８】
また、図４(ａ)の画面には、相手先の名前と同時に、その後の操作の選択肢（発信、メール送信、Ｅ−ｍａｉｌ送信、その他）が表示される。ここで、その後の操作として、発信キー３２を押下して“発信”を選択すれば、登録してある所望の相手先の電話番号が図４(ｃ)に示すように表示部１７に表示されると同時に、その電話番号に対して音声発信動作が行われる。
【００１９】
また、その後の操作として、メールキー３８または＃キーを押下して“メール送信”あるいは“Ｅ−ｍａｉｌ送信”を選択すれば、メール宛先入力を省略して、直ぐに、図４(ｄ)または図４(ｅ)のメール作成方法指定画面から始まるメール作成動作となり、メールを作成でき、メール作成後、発信キー３２を押下すれば、予め登録されている所望の相手先の電話番号あるいはＥ−ｍａｉｌアドレスにメールを送信することができる。
【００２０】
また、その後の操作として、数字の「１」キーを押下して“その他”を選択すると、図４(ｆ)に示すように、その他の操作の一覧（「１」編集、「２」削除、「３」音設定、「４」他のメール）が表示部１７に表示される。そして、この一覧（参照図面は図５に移り、図４(ｆ)と同一の図５(ａ)参照）から、数字の「１」キーを押下して“編集”を選択すると、次に図５(ｂ)に示すように“編集メニュー”が表示部１７に表示される。この編集メニューから、上下キー３７で“名前”を選択し、設定キー３３を押下すると、図３で登録した相手先の名前の編集動作となる。名前の編集動作は、図３(ｃ)と同一画面が表示部１７に表示されて、ダイヤルキー３１を使用して名前を編集できる。
【００２１】
図５(ｂ)の編集メニューから上下キー３７で“読み”を選択し、設定キー３３を押下すると、図３で登録した読みの編集動作となる。読みの編集動作は、図３(ｄ)と同一画面が表示部１７に表示されて、ダイヤルキー３１を使用して読みを編集できる。図５(ｂ)の編集メニューから上下キー３７で“電話番号”を選択し、設定キー３３を押下すると、図３で登録した相手先の電話番号の編集動作となる。電話番号の編集動作は、図３(ｅ)と同一画面が表示部１７に表示されて、ダイヤルキー３１を使用して電話番号を編集できる。図５(ｂ)の編集メニューから上下キー３７で“Ｅ−ｍａｉｌ”を選択し、設定キー３３を押下すると、図３で登録した相手先のＥ−ｍａｉｌアドレスの編集動作となる。Ｅ−ｍａｉｌアドレスの編集動作は、図３(ｆ)と同一画面が表示部１７に表示されて、ダイヤルキー３１を使用してＥ−ｍａｉｌアドレスを編集できる。図５(ｂ)の編集メニューから上下キー３７で“ＰＩＮコード”を選択し、設定キー３３を押下すると、図３で登録したＰＩＮコードの編集動作となる。ＰＩＮコードの編集動作は、図３(ｇ)と同一画面が表示部１７に表示されて、ダイヤルキー３１を使用してＰＩＮコードを編集できる。
【００２２】
一方、図５(ａ)のその他の操作の一覧から、数字の「２」キーを押下して“削除”を選択すると、図３で行ったペア登録の削除動作となる。削除動作になると、まず表示部１７に、図５(ｃ１)に示すように、「削除？  ペア登録  伊東（現在登録されている相手先の名前）」が表示されるとともに、「ＹＥＳ」「ＮＯ」の選択肢が表示される。ここで、「ＹＥＳ」を左送りキー３５で選択し、設定キー３３を押下する。すると、図２のフラッシュメモリ１４に記憶されている現在のペア登録の情報が全て消去され、同時に、表示部１７には、図５(ｃ２)に示すように、「ペア登録  伊東（現在登録されている相手先の名前）  削除しました」と表示されて、削除動作を終了する。
【００２３】
一方、図５(ａ)のその他の操作の一覧から、数字の「３」キーを押下して“音設定”を選択すると、ペア登録に対する着信音の設定動作（ペア登録してある相手からの着信時の着信音の設定動作）になる。このとき、ペア登録に対しては、その他の相手からの着信時と異なる音で着信音を設定できる。また、ペア登録に対しては、音声による通常着信時と、メール着信時とでそれぞれ別々の着信音に設定できる。
【００２４】
着信音設定動作になると、表示部１７には、図５(ｄ１)に示すように「通常着信」「メール着信」が表示されて、どちらの着信音設定を行うか問いかけられる。いま、通常着信時の着信音設定を行うものとすると、上下キー３７で「通常着信」を選択し、設定キー３３を押下する。すると、表示部１７には、図５(ｄ２)で示すように、通常着信時の複数の着信音のパターンが表示される。いま、着信音を「パターン１」に設定するものとすると、この「パターン１」を上下キー３７で選択し、設定キー３３を押下する。すると、通常着信時の着信音がパターン１に設定されると同時に、表示部１７には図５(ｄ３)に示すように「パターン１設定しました」と表示されて設定動作を終了する。一方、図５(ｄ１)で「メール着信」を上下キー３７で選択すれば、メール着信時の着信音を同様にして設定できる。
【００２５】
このようにして着信音を設定したが、同様にして、ペア登録に対して、バイブレータ２３の振動パターン、着信ＬＥＤ２５の点滅パターンを設定できる。その際、着信音と同様に、ペア登録に対しては、それ以外の相手と異なったパターンで振動パターン、点滅パターンを設定できる。なお、この移動体電話機が、例えば図６に示すように折り畳み式電話機であった場合、ケース４１の外面に設けたＬＥＤ（お知らせピクト）４２の点滅パターンをペア登録に対しては他の相手先と異なる点滅パターンに設定することによって、折り畳み式電話機で折り畳んだ状態でもペア登録相手からの着信（受信）を知ることができる。
【００２６】
一方、図５(ａ)のその他の操作の一覧から、数字の「４」キーを押下して“他のメール”を選択すると、表示部１７には図５(ｅ)のように「他のメール  「１」グリーティング  「２」ホットライン」と表示されて、ホットラインあるいはグリーティングによるメール送信が可能となる。ここで、数字の「１」キーを押下して「グリーティング」を選択して、所定の情報を入力すれば、指定した日時にメッセージを相手先に表示する“グリーティング”によるメール送信を、ペア登録した相手先に対して実施することが可能となる。また、数字の「２」キーを押下して「ホットライン」を選択して、所定の情報を入力すれば、メッセージ毎に宛先を入力することなく特定の相手と継続的にメッセージの送受信を行うことができる“ホットライン”によるメール送信を、ペア登録した相手先に対して実施することができる。
【００２７】
なお、上記の動作説明では、図３に示すように手動操作でペア登録を行ったが、通話中、例えばペアキー３９を押下することにより、通話中の相手の情報をペア登録することもできる。このとき、発信、着信のいずれの通話においても、通話中の相手の情報をペア登録できる。また、既に別の情報が登録されている場合は、上書き登録される。さらに、通話中の相手の情報は、発信者番号通知や電話帳データの中から取得できる。なお、ペア登録が行われたときは、その旨が相手先に自動的にメール送信されることを既に述べたが、通話中の相手の情報を上記のようにペア登録した場合は、その通話が終了した後に、ペア登録を行った旨がメールで相手先に自動送信される。
【００２８】
また、送信あるいは受信メールデータ中から相手の情報を取得してキー操作（例えばペアキー３９の押下）に伴いペア登録することもできる。このときも、ペア登録した場合は、その旨がメールで相手先に自動送信される。
【００２９】
以上のように、上記の移動体電話機では、ペアキー（１つの特別登録キー）３９を設け、このペアキー３９に対応させて一人の所望の相手先の情報を登録する。したがって、このペアキー３９を操作すれば、所望の相手先の情報をワンタッチで簡単に間違いなく読出すことができ、使い勝手が向上する。さらに、読出した後、音声発信動作、メール送信動作を所望の相手先に対して簡単に行うことができる。また、相手先の情報の登録もメールアドレスなどの指定がなくなるから簡単になる。さらに、このペア登録した相手からの着信時は、他の相手からの着信時とは異なる内容で着信を報知することにより、ペア登録した相手からの着信を正確に容易に知ることができる。さらに、通話中、通話相手の情報をペア登録できるようにすることにより、あるいはメールデータ中から相手の情報を取得してペア登録できるようにすることにより、その日によってペア登録の相手を変えるような場合には、毎回毎回「名前」「電話番号」等を入力しなくてすむので、登録操作を格段に能率的にすることができる。また、ペア登録したとき、ペア登録の相手先に対して、ペア登録を行った旨のメールを自動送信するようにすれば、電話機使用者とペア登録の相手とが互いにペア登録されたことを確認して、互いにペア意識をもち、親密度を高めることができる。
【００３０】
なお、ペアキーは、専用キーであっても、なくてもよい。また、上記実施の形態の移動体電話機はペア機能の他に、従来よりあるメモリ番号を入力してすぐに電話をかけることができるスピードダイヤル機能、メモリに登録してある電話番号より所望の電話番号を検索して電話をかけるメモリダイヤル機能も有している。メモリダイヤル、スピードダイヤルに、更にペア機能（ペアキー）を加えることにより一段と使い勝手が良くなる。さらに、上記の実施の形態は、本発明を移動体電話機に適用した場合であるが、本発明は固定電話機にも適用できる。
【００３１】
【発明の効果】
以上詳細に説明したように本発明の電話機によれば、所望の相手先の情報をワンタッチで簡単に間違いなく読出すことができ、使い勝手が向上する。
【図面の簡単な説明】
【図１】本発明の電話機の実施の形態に設けられるキー操作部を示す正面図。
【図２】本発明による電話機の実施の形態を示すブロック図。
【図３】ＬＣＤ表示部の画面表示の遷移を示し、本発明の実施の形態の動作を説明するための図。
【図４】ＬＣＤ表示部の画面表示の遷移を示し、本発明の実施の形態の動作を説明するための図。
【図５】ＬＣＤ表示部の画面表示の遷移を示し、本発明の実施の形態の動作を説明するための図。
【図６】本発明の電話機の実施の形態を示す斜視図。
【符号の説明】
１７  表示部
１８  キー操作部
３９  特別登録キー（ペアキー）
【図１】
0003820122.tif 000002
【図２】
0003820122.tif 000003
【図３】
0003820122.tif 000004
【図４】
0003820122.tif 000005
【図５】
0003820122.tif 000006
【図６】
0003820122.tif 000007